(57)【要約】      （修正有）【課題】立体的で精巧な装飾部を備えた装飾体を提供する。【解決手段】カレンダー（被装飾物）が露出する開口部４と上側装飾部８を有する板状の本体２を備える。本体２の裏面に重ねられて少なくとも上側装飾部８を覆う透明板１３（透明部材）を備える。上側装飾部８は、正面視において模様となる形状に形成された模様体２１と、この模様体２１の輪郭が開口縁となるように本体２を厚み方向に貫通する貫通穴２２とによって構成されている。透明板１３は、開口部４を覆う着色された上端部１３ｂ（着色部）を有している。【選択図】図１
0003205516.tif 000002
【実用新案登録請求の範囲】
【請求項１】
被装飾物が露出する開口部およびこの開口部と隣接する装飾部を有する板状の本体と、
前記本体の裏面に重ねられて少なくとも前記装飾部を覆う透明部材とを備え、
前記装飾部は、
正面視において模様となる形状に形成された前記本体の一部からなる模様体と、
前記模様体の輪郭が開口縁となるように前記本体を厚み方向に貫通する貫通穴とによって構成され、
前記透明部材は、前記貫通穴と対向する着色部を有している装飾体。
【請求項２】
請求項１記載の装飾体において、
前記透明部材は、前記開口部を覆う部分と前記装飾部を覆う部分とを有する板状に形成され、
前記本体は、前記開口部が中央部に形成された額縁であり、前記透明部材の裏側に前記被装飾物が重なる状態でこれらの部材を保持するホルダーを有していることを特徴とする装飾体。
【請求項３】
請求項２記載の装飾体において、
前記ホルダーは、
前記透明部材および前記被装飾物を前記本体と協働して挟む保持板と、
前記保持板を前記本体に着脱可能に取付ける取付部材とを備え、
前記取付部材は、
前記本体および前記保持板の下端部にそれぞれ形成された貫通穴に挿入された状態で前記保持板の裏側に突出する脚部と、
前記脚部から上方に延びて前記保持板の裏面に接触する押圧部とを有していることを特徴とする装飾体。
【請求項４】
請求項１ないし請求項３記載の装飾体において、
前記本体はレーザー加工機によって加工可能な材料によって形成されていることを特徴とする装飾体。
【考案の詳細な説明】
【技術分野】
【０００１】
本考案は、被装飾物が露出する開口部の近傍に装飾部を備えた装飾体に関する。
【背景技術】
【０００２】
従来、写真や絵画などは、額縁に入れて飾られることが多い。この種の額縁は、例えば特許文献１に記載されているように、装飾品が取付けられることにより装飾効果が高くなるものである。
特許文献１に開示された装飾品は、光が多方向に反射される多数のクリスタル粒石である。これらの装飾品は、それぞれ額縁に接着剤によって接着されている。
【先行技術文献】
【特許文献】
【０００３】
【特許文献１】実用新案登録第３０４４０８１号公報
【考案の概要】
【考案が解決しようとする課題】
【０００４】
特許文献１に示すような装飾品を貼り付けて行う装飾では、表面的で単調になり易いため、必ずしも高い装飾効果が得られるとは限らないという問題があった。このため、例えば写真や絵画などを飾るにあたっては、それを見る多くの者の視覚的美観に強く訴えることが可能な装飾体が要請されている。
【０００５】
本考案はこのような問題を解消するためになされたもので、立体的で精巧な装飾部を備えた装飾体を提供することを目的とする。
【課題を解決するための手段】
【０００６】
この目的を達成するために、本考案に係る装飾体は、被装飾物が露出する開口部およびこの開口部と隣接する装飾部を有する板状の本体と、前記本体の裏面に重ねられて少なくとも前記装飾部を覆う透明部材とを備え、前記装飾部は、正面視において模様となる形状に形成された前記本体の一部からなる模様体と、前記模様体の輪郭が開口縁となるように前記本体を厚み方向に貫通する貫通穴とによって構成され、前記透明部材は、前記貫通穴と対向する着色部を有しているものである。
【０００７】
本考案は、前記装飾体において、前記透明部材は、前記開口部を覆う部分と前記装飾部を覆う部分とを有する板状に形成され、前記本体は、前記開口部が中央部に形成された額縁であり、前記透明部材の裏側に前記被装飾物が重なる状態でこれらの部材を保持するホルダーを有していてもよい。
【０００８】
本考案は、前記装飾体において、前記ホルダーは、前記透明部材および前記被装飾物を前記本体と協働して挟む保持板と、前記保持板を前記本体に着脱可能に取付ける取付部材とを備え、前記取付部材は、前記本体および前記保持板の下端部にそれぞれ形成された貫通穴に挿入された状態で前記保持板の裏側に突出する脚部と、前記脚部から上方に延びて前記保持板の裏面に接触する押圧部とを有していてもよい。
【０００９】
本考案は、前記装飾体において、前記本体はレーザー加工機によって加工可能な材料によって形成されていてもよい。
【考案の効果】
【００１０】
本考案においては、模様体と、貫通穴の奥に位置する透明部材の着色部とによって、ステンドガラスを模した装飾が実現される。模様体は、模様の形状に形成されて本体の厚み方向に延びている。
したがって、本考案によれば、立体的で精巧な装飾部を備えた装飾体を提供することができる。
【図面の簡単な説明】
【００１１】
【図１】卓上カレンダーの斜視図である。
【図２】卓上カレンダーの正面図である。
【図３】卓上カレンダーの背面図である。
【図４】図２におけるIV-IV線断面図である。
【図５】図２におけるV-V線断面図である。
【図６】卓上カレンダーの分解斜視図である。
【考案を実施するための形態】
【００１２】
以下、本考案に係る装飾体の一実施の形態を図１〜図６によって詳細に説明する。この実施の形態は、本考案を卓上カレンダーに適用した場合の一例を示す。
図１に示す卓上カレンダー１は、最も前側に位置する本体２と、この本体２に裏側から取付けられた後述する複数の部材などによって構成されている。本体２は、板材料に穴開け加工を施すことによって所定の形状に形成された額縁である。本体２を形成する材料は、例えば複数の厚紙を貼り合わせたものや、ベニア板などである。
【００１３】
本体２に施す穴開け加工は、レーザー加工機３（図４参照）によって行われる。このため、本体２の材料は、レーザー加工機３で加工可能なものであれば、上述したものに限定されることなく、適宜変更可能である。なお、この実施の形態による本体２は、図示していない板状の母材からレーザー加工機３を使用したレーザー加工によって切り出して形成することができる。以下においては、レーザー加工機３を使用して部材を分断するレーザー加工を単に「レーザーカット」という。
【００１４】
本体２は、図２に示すように、その中央部に位置する開口部４と、この開口部４の下に位置する支持部５と、開口部４の両側に隣接する左側装飾部６および右側装飾部７と、開口部４の上に隣接する上側装飾部８などによって構成されている。支持部５には、第１の貫通孔９と第２の貫通孔１０とがそれぞれ左右に分かれる状態に２つずつ形成されている。これらの第１および第２の貫通孔９，１０の開口形状は四角形である。これらの第１および第２の貫通孔９，１０は、本体２の一部をレーザーカットによって切り抜くことによって形成されている。
【００１５】
左側装飾部６と右側装飾部７には、それぞれ飾りとなる模様１１が設けられている。この模様１１は、本体２の表面にレーザーカットを相対的に小さい出力で施すことによって浮き彫り状に形成されている。上側装飾部８の説明は後述する。
開口部４は、被装飾物としてのカレンダー１２（図６参照）を視認できるようにするための穴である。この開口部４も本体２の一部をレーザーカットによって切り抜くことによって形成されている。
【００１６】
開口部４は、本体２の裏面に重ねられた透明板１３によって後側から覆われている。この透明板１３は、透明な材料の板によって形成されている。透明板１３を形成する材料は、例えばアクリル樹脂やＰＥＴ（ポリエチレンテレフタラート）などである。この透明板１３は、開口部４を覆う主板部１３ａと上側装飾部８を覆う上端部１３ｂとを有している。主板部１３ａは透明である。上端部１３ｂは、詳細は後述するが複数の色に着色されている。この実施の形態においては、この透明板１３が本考案でいう「透明部材」に相当する。
【００１７】
カレンダー１２は、図１に示すように、前方から見て開口部４より大きい長方形状に形成されている。
本体２の裏側には、図４および図５に示すように、薄板からなる透明板１３と、カレンダー１２とがこの順序で重ねられている。これらのカレンダー１２と透明板１３は、本体２に設けられたホルダー１４によって保持されている。
【００１８】
ホルダー１４は、図５に示すように、カレンダー１２の裏面に重ねられた保持板１５と、この保持板１５の裏面を押すための左右一対の取付部材１６とによって構成されている。保持板１５と取付部材１６は、本体２と同じ材料によって形成されている。このように保持板１５と取付部材１６の材料を本体２と同一の材料とすることにより、これらの部材も本体２と同様に母材からレーザーカットによって切り出して形成することができる。
【００１９】
保持板１５は、図３に示すように、後側から見て長方形の板で、後側から見て本体２の開口部４およびカレンダー１２より大きく形成されている。この保持板１５は、本体２の上側装飾部８より下に位置付けられている。
保持板１５の下端部には、左右一対の第３の貫通孔１７（図６参照）が形成されている。これらの第３の貫通孔１７の開口形状は四角形である。また、この第３の貫通孔１７は、正面視において本体２の第１の貫通孔９と重なる位置に形成されている。この第３の貫通孔１７も保持板１５の一部をレーザーカットによって切り抜いて形成することができる。
【００２０】
取付部材１６は、図５および図６に示すように、前後方向（本体２の厚み方向）に延びる脚部１６ａと、この脚部１６ａの中間部分から上方に延びる押圧部１６ｂとを有している。脚部１６ａにおける押圧部１６ｂより前側に位置する半部は、本体２の第１の貫通孔９と保持板１５の第３の貫通孔１７とに嵌合し、本体２と保持板１５とを貫通している。第１の貫通孔９の大きさは、脚部１６ａが引き抜かれるときに脚部１６ａを容易に抜くことができない程度の摩擦抵抗が生じる大きさであることが望ましい。カレンダー１２と透明板１３は、この脚部１６ａの前側半部の上に載せられている。
【００２１】
脚部１６ａにおける保持板１５より後側に位置する後側半部の下面１６ｃは、後ろに向かうにしたがって次第に上に位置するように傾斜している。（図５参照）。このため、この傾斜した下面１６ｃが例えば机の上面に載せられることによって、本体２の前面が斜め前上方を指向する。
押圧部１６ｂは、全体が保持板１５の裏面に接触する状態で所定の長さだけ上方に延びる形状に形成されている。
【００２２】
これらの取付部材１６の左右両側方には、図３に示すように、ガイド板１８がそれぞれ配置されている。これらのガイド板１８は、カレンダー１２および透明板１３の左右方向への移動を規制してこれらの部材を所定の位置に位置決めするためのものである。このガイド板１８は、図６に示すように、上下方向に延びる板状に形成されている。このガイド板１８の下端部には、前側に突出する突起１８ａが設けられている。この突起１８ａは、本体２の第２の貫通孔１０に嵌合する形状に形成されている。このガイド板１８も母材からレーザーカットによって切り出して形成することができる。
【００２３】
この実施の形態においては、本体２の裏面に透明板１３とカレンダー１２とが重ねられた状態で脚部１６ａが第１および第３の貫通孔９，１７に後側から挿入されることによって、保持板１５がカレンダー１２および透明板１３を本体２と協働して挟むことになる。取付部材１６は、本体２に対して着脱可能であるから、保持板１５を本体２に着脱可能に取付けるものとなる。このため、カレンダー１２の交換時には保持板１５を外すことができ、カレンダー１２の交換を容易に行うことができる。
【００２４】
本体２の上側装飾部８は、図１および図２に示すように、正面視において模様となる形状に形成された模様体２１と、この模様体２１の輪郭が開口縁となるように本体２を厚み方向に貫通する複数の貫通穴２２とによって構成されている。模様体２１は、本体２から不要部分をレーザーカットによって切り抜くことにより形成されている。このため、模様体２１は、実質的に掃引体になる。この実施の形態による模様体２１は、花２３や小動物の肉球２４などのキャラクターを模した形状に形成されている。
【００２５】
貫通穴２２は、上述した不要部分が存在していた部分である。このため、貫通穴２２は、本体２の前面と裏面とに開口している。貫通穴２２の裏面側の開口部分は、透明板１３の上端部１３ｂによって覆われている。
透明板１３の上端部１３ｂは、図３中にハッチングを施して示すように、複数の異なる色で着色されている。図３においては、同一の色が同一のハッチングで表現されている。着色は、模様体２１の花２３や肉球２４などのキャラクターと対応する位置に施されており、キャラクター毎に色分けされるように施されている。透明板１３への着色は、インクジェットプリンタやその他の印刷装置による印刷や、塗装などによって行うことができる。この実施の形態においては、この透明板１３の上端部１３ｂが本考案でいう「着色部」に相当する。
【００２６】
このように構成された卓上カレンダー１は、本体２の裏側に透明板１３とカレンダー１２とがホルダー１４によって保持された状態で卓上に載置して使用される。この卓上カレンダー１は、卓上に載置された状態において、本体２の下端と、二つの取付部材１６の脚部１６ａとが例えば机の上面に支承され、本体２の上側装飾部８が斜め前上方を指向するように起立する。このため、カレンダー１２を見るときに上側装飾部８の貫通穴２２の奥が透明板１３の上端部１３ｂを透かして明るく見える。この透明板１３の上端部１３ｂは、貫通穴２２と対応する位置において模様体２１のキャラクター毎に異なる色で着色されている。
【００２７】
したがって、模様体２１と、貫通穴２２の奥に位置する透明板１３の上端部１３ｂ（着色部）とによって、ステンドガラスを模した装飾が実現される。模様体２１は、模様の形状に形成されて本体２の厚み方向に延びている。
この結果、この実施の形態によれば、立体的で精巧な上側装飾部８を備えた卓上カレンダーを提供することができる。
【００２８】
この実施の形態による透明板１３は、本体２の開口部４を覆う主板部１３ａと上側装飾部８を覆う上端部１３ｂとを有している。本体２は、開口部４が中央部に形成された額縁で、透明板１３の裏側にカレンダー１２が重なる状態でこれらの部材を保持するホルダー１４を有している。
このため、この実施の形態によれば、カレンダー１２の前面を覆って保護する機能と、上端部１３ｂにおいてステンドガラスのように光を透過する機能とを一つの透明板１３で実現できるから、無駄がなく、経済的に装飾効果を高めることができる。
【００２９】
この実施の形態によるホルダー１５は、透明板１３およびカレンダー１２を本体２と協働して挟む保持板１５と、保持板１５を本体２に着脱可能に取付ける取付部材１６とを備えている。取付部材１６は、本体２の下端部に形成された第１の貫通孔９と保持板１５の下端部に形成された第３の貫通孔１７とに挿入された状態で保持板１５の裏側に突出する脚部１６ａと、この脚部１６ａから上方に延びて保持板１５の裏面に接触する押圧部１６ｂとを有している。このため、この実施の形態によれば、取付部材１６の脚部１６ａを水平方向に延びる状態として卓上に置くことによって、カレンダー１２や透明板１３を含めて本体２が卓上で起立する。したがって、この実施の形態によれば、装飾効果がより一層高い卓上カレンダー（卓上用の額縁）を提供できる。
【００３０】
この実施の形態による本体２は、レーザー加工機３によって加工可能な材料によって形成されている。このため、上側装飾部８の模様体２１および貫通穴２２をレーザーカットによって形成することができるから、この加工を打ち抜き用の金型を用いて行う場合と較べると製造コストを低く抑えることができる。したがって、この実施の形態によれば、装飾効果が高い卓上カレンダーを低い価格で提供できる。
【００３１】
なお、上述した実施の形態においては、本考案を卓上カレンダーに適用する例を示した。しかし、本考案は、このような限定にとらわれることはなく、写真立てや、壁に掛ける額縁などの他の装飾品にも適用可能である。
【符号の説明】
【００３２】
１…卓上カレンダー、２…本体、３…レーザー加工機、４…開口部、８…上側装飾部、１２…カレンダー（被装飾物）、１３…透明板（透明部材）、１３ａ…主板部、１３ｂ…上端部（着色部）、１４…ホルダー、１５…保持板、１６…取付部材、１６ａ…脚部、１６ｂ…押圧部、２１…模様体、２２…貫通穴。
【図１】
0003205516.tif 000003
【図２】
0003205516.tif 000004
【図３】
0003205516.tif 000005
【図４】
0003205516.tif 000006
【図５】
0003205516.tif 000007
【図６】
0003205516.tif 000008